(57)【要約】      （修正有）【課題】上側掲示部及び下側掲示部に配置する２種類のイベントボードを傾きが異なる方向に配置するイベントボードを自立させる紙脚を提供する。【解決手段】支脚部３を、一対の下側折り曲げ線Ｌ３、Ｌ４に沿って一対の下側支持板１３、１５を谷折りし、一対の上側折り曲げ線Ｌ７、Ｌ８に沿って一対の上側支持板１４、１６を谷折りし、水平支持板１０を下側支持板１３、１５側に折り曲げて係合させて立体形状に組み立てる。このとき、一対の上側折り曲げ線Ｌ７、Ｌ８が、スリット９から離間して支脚部３の上端に向うに従い互いの間隔が近くなるように内側に傾斜した状態で形成されているので、上側接合領域ＳＢが、下側接合領域ＳＡ１、ＳＡ２が延在している面に対して前面側に傾斜する。これにより、上側接合領域及び下側接合領域に接合しているボード提示部２は、上側掲示部２Ｂが、下側掲示部２Ａに対して同一平面に存在させず、所定の角度で傾く。【選択図】図４
0003224851.tif 000002
【実用新案登録請求の範囲】
【請求項１】
平板で長方形状に形成された紙基材からなるボード掲示部と、前記ボード掲示部の裏面に接合される平板の紙基材からなる支脚部と、を備え、
前記ボード掲示部は、長手方向に折り曲げ可能となるように長手方向の途中で幅方向に延在した掲示部折り曲げ線と、前記掲示部折り曲げ線を境界として一方側に形成された下側掲示部と、前記掲示部折り曲げ線を境界として他方側に形成された上側掲示部と、を備え、
前記支脚部は、前記下側掲示部の裏面に面接合する下側接合領域と、前記上側掲示部の裏面に面接合する上側接合領域と、前記下側接合領域側を切り欠いて形成した水平支持板と、前記下側接合領域及び前記上側接合領域の間に直線状に形成されているスリットと、前記下側接合領域が間に位置するように一対の下側折り曲げ線を介して両側に設けた一対の下側支持板と、前記上側接合領域が間に位置するように一対の上側折り曲げ線を介して両側に設けた一対の上側支持板と、を備えており、
前記支脚部の前記スリットを前記ボード掲示部の前記掲示部折り曲げ線に合わせ、前記下側接合領域を前記下側掲示部の裏面に接合し、前記上側接合領域を前記上側掲示部の裏面に接合し、
前記支脚部を、前記一対の下側折り曲げ線に沿って前記一対の下側支持板を谷折りし、前記一対の上側折り曲げ線に沿って前記一対の上側支持板を谷折りし、前記水平支持板を前記一対の下側支持板側に折り曲げて前記一対の下側支持板の一部に係合させて立体形状に組み立てたときに、
前記支脚部は、前記上側掲示部を、前記下側掲示部に対して同一平面に存在させず、前記掲示部折り曲げ線に沿って所定の角度で傾かせる傾斜機構を備えていることを特徴とする紙脚。
【請求項２】
前記傾斜機構は、前記一対の上側支持板と前記上側接合領域との間に設けられて前記スリットの両端から前記支脚部の上端まで延在している前記一対の上側折り曲げ線を、前記スリットから前記上端に向うに従い互いの間隔が近くなるように、互いに内側に傾斜して形成したことであることを特徴とする請求項１記載の紙脚。
【請求項３】
前記傾斜機構は、前記一対の上側支持板と前記上側接合領域との間に設けられて前記スリットの両端から前記支脚部の上端まで延在している前記一対の上側折り曲げ線を、前記スリットから前記上端に向うに従い互いの間隔が遠くなるように、互いに外側に傾斜して形成したことであることを特徴とする請求項１記載の紙脚。
【考案の詳細な説明】
【技術分野】
【０００１】
本考案は、各種の案内、広告などのイベントボードを自立させる紙脚に関する。
【背景技術】
【０００２】
案内、広告などのイベントボードを自立させる紙脚として、例えば特許文献１のものがある。
特許文献１の紙脚は、長方形状の紙基材の長手方向の略中央部分に、短尺方向に延在する山折り線を形成する。そして、この山折り線に沿って紙基材を折り曲げることで、紙基材が長手方向に２分割されて山折り可能な平板形状の掲示部（特許文献１では取着面）及び支脚部（特許文献１では支脚面）が形成される。
【０００３】
また、掲示部の一部を切り欠いて折り曲げることで掲示部から突出した連結片が形成され、支脚部の一部を切り欠くことで係合片が形成されている。そして、山折りした支脚部の係合片の一部に、掲示部の連結片の先端を係合させることで掲示部及び支脚部の山折り形状が保持された紙脚が形成される。
そして、掲示部にイベントボードの裏面を貼着することで、支脚部で支持された状態でイベントボードが自立する。
【先行技術文献】
【特許文献】
【０００４】
【特許文献１】実用新案登録第３１７４３３２号公報
【考案の概要】
【考案が解決しようとする課題】
【０００５】
ところで、例えば２種類のイベントボードを並べて自立させる場合には、２種類のイベントボードを同一平面上に配置せず、互いに傾きが異なる方向に並べて自立させると、各々のイベントボードの図柄などが際立って見える。
しかし、特許文献１の紙脚は、イベントボードを配置する掲示部が一つの平板形状であり、この掲示部に２種類のイベントボードが同一平面で配置されても、各々のイベントボードが目立たず、イベント効果を高めることができない。
【０００６】
そこで、本考案は、上述した課題に着目してなされたものであり、互いに傾きが異なる２つの掲示部に２種類のイベントボードの各々を配置して自立させることでイベント効果を高めることができる紙脚を提供することを目的としている。
【課題を解決するための手段】
【０００７】
上記目的を達成するために、本考案に係る紙脚は、平板で長方形状に形成された紙基材からなるボード掲示部と、ボード掲示部の裏面に接合される平板の紙基材からなる支脚部と、を備えている。ボード掲示部は、長手方向に折り曲げ可能となるように長手方向の途中で幅方向に延在した掲示部折り曲げ線と、掲示部折り曲げ線を境界として一方側に形成された下側掲示部と、掲示部折り曲げ線を境界として他方側に形成された上側掲示部と、を備えている。支脚部は、下側掲示部の裏面に面接合する下側接合領域と、上側掲示部の裏面に面接合する上側接合領域と、下側接合領域側を切り欠いて形成した水平支持板と、下側接合領域及び上側接合領域の間に直線状に形成されているスリットと、下側接合領域が間に位置するように一対の下側折り曲げ線を介して両側に設けた一対の下側支持板と、上側接合領域が間に位置するように一対の上側折り曲げ線を介して両側に設けた一対の上側支持板と、を備えている。そして、支脚部の前記スリットをボード掲示部の掲示部折り曲げ線に合わせ、下側接合領域を下側掲示部の裏面に接合し、上側接合領域を上側掲示部の裏面に接合し、支脚部を、一対の下側折り曲げ線に沿って一対の下側支持板を谷折りし、一対の上側折り曲げ線に沿って一対の上側支持板を谷折りし、水平支持板を前記一対の下側支持板側に折り曲げて一対の下側支持板の一部に係合させて立体形状に組み立てる。この際、支脚部は、上側掲示部を、下側掲示部に対して同一平面に存在させず、掲示部折り曲げ線に沿って所定の角度で傾かせる傾斜機構を備えている。
【考案の効果】
【０００８】
本考案に係る紙脚によると、支脚部の傾斜機構が、ボード掲示部の上側掲示部を下側掲示部に対して同一平面に存在させず、定の角度で傾かせることで、上側掲示部及び下側掲示部に配置する２種類のイベントボードを傾きが異なる方向に配置することができ、イベント効果を十分に高めることができる。
【図面の簡単な説明】
【０００９】
【図１】本考案に係る第１実施形態の紙脚を、イベントボードを配置する側から示した斜視図である。
【図２】第１実施形態の紙脚を構成する部材を示しており、（ａ）は掲示部を示し紙基材の展開図であり、（ｂ）は支脚部を示す紙基材の展開図である。
【図３】第１実施形態を構成する支脚部を掲示部に接着した状態を示す図である。
【図４】第１実施形態の紙脚を、支脚部側から示した斜視図である。
【図５】第１実施形態の紙脚を側方から示した図である。
【図６】本考案に係る第２実施形態の紙脚を構成する支脚部を掲示部に接着した状態を示す図である。
【図７】第２実施形態の紙脚を側方から示した図である。
【図８】第２実施形態の紙脚を、イベントボードを貼着する側から示した斜視図である。
【考案を実施するための形態】
【００１０】
次に、図面を参照して、本考案の実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
【００１１】
また、以下に示す実施形態は、本考案の技術的思想を具体化するための装置や方法を例示するものであって、本発明の技術的思想は、構成部品の材質、形状、構造、配置等を下記のものに特定するものでない。本考案の技術的思想は、実用新案登録請求の範囲に記載された請求項が規定する技術的範囲内において、種々の変更を加えることができる。
なお、以下の説明で記載されている「上」、「下」、「底」、「前」、「後」、「長尺方向」、「短尺方向」等の方向を示す用語は、添付図面の方向を参照して用いられている。
【００１２】
［第１実施形態の紙脚］
図１から図５は、本考案に係る第１実施形態の紙脚１を示すものである。
図１に示すように、第１実施形態の紙脚１は、イベントボードを配置するボード掲示部２と、このボード掲示部２に接合することでイベントボードを立たせる支脚部３と、を備えている。
【００１３】
ボード掲示部２は、図２（ａ）に示すように、長方形状の平板からなる紙基材で形成されている。ボード掲示部２は、紙基材の長手方向を折り曲げ可能となるように短尺方向に延在する直線状の折り曲げ線Ｌ１が形成されている。この折り曲げ線Ｌ１を境界として下側に貼着面２ａを有する第１掲示部２Ａが形成され、上側に貼着面２ｂを有する第２掲示部２Ｂが形成されている。ここで、第１掲示部２Ａの貼着面２ａは、第２掲示部２Ｂの貼着面２ｂより広い面積に設定されている。
【００１４】
支脚部３は、図２（ｂ）に示すように、略台形状の平板からなる紙基材で形成されている。
支脚部３の下端中央には、直線状に延在する第１下辺４が形成され、第１下辺４の両端から所定角度θで上り傾斜を付けて第２下辺５及び第３下辺６が形成されているとともに、第２下辺５及び第３下辺６の端部から下方に突出する脚７、８が形成されている。
支脚部３の上部側には、第１下辺４に対して平行であり、且つ同一の左右位置まで延在する直線状のスリット９が形成されている。
【００１５】
第１下辺４とスリット９との間には、紙基材の表裏に貫通する所定の曲線形状の切込み線Ｋを形成することで水平支持板１０が形成され、この水平支持板１０の下端に第１下辺４と平行に延在する直線状の折り曲げ線Ｌ２が形成されている。
水平支持板１０の上部とスリット９との間には一対の孔１１が形成されており、これらの孔１１に対向する水平支持板１０の上部に、係合凹部１２が形成されている。
第１下辺４及びスリット９の一方の端部９ａの間には、水平支持板１０が形成されている部位を除いて直線状の折り曲げ線Ｌ３が形成されているとともに、第１下辺４及びスリット９の他方の端部９ｂの間にも、折り曲げ線Ｌ３に平行に延在し、水平支持板１０が形成されている部位を除いて直線状の折り曲げ線Ｌ４が形成されている。
【００１６】
支脚部３の上部側には、スリット９が延在する方向の延長線上であって支脚部３の左右端部まで延在する直線状の一対の折り曲げ線Ｌ５，Ｌ６が形成されている。
さらに、支脚部３の上部側には、スリット９の一方の端部９ａから支脚部３の上端まで延在する直線状の折り曲げ線Ｌ７が形成されているとともに、スリット９の他方の端部９ｂから支脚部３の上端まで延在する直線状の折り曲げ線Ｌ８が形成されている。
これら折り曲げ線Ｌ７、Ｌ８は、スリット９から離間して支脚部３の上端に向うに従い互いの間隔が近くなるように内側に傾斜した状態で形成されている。
【００１７】
次に、図３は、ボード掲示部２に支脚部３を接合した状態を示すものである。
支脚部３は、第１下辺４をボード掲示部２の下辺２ｃ（図２（ａ）参照）に合わせ、スリット９及び折り曲げ線Ｌ５、Ｌ６をボード掲示部２の折り曲げ線Ｌ１に合わせた状態で重ねる。
そして、図３で示す支脚部３のスリット９及び折り曲げ線Ｌ７、Ｌ８で囲まれた領域ＳＢをボード掲示部２の第２掲示部２Ｂの裏面に接着する。なお、領域ＳＢを、第２掲示部接合領域ＳＢと称する。
【００１８】
また、図３で示す支脚部３のスリット９、折り曲げ線Ｌ３、４及び水平支持板１０の上辺で囲まれた領域ＳＡ１をボード掲示部２の第１掲示部２Ａの裏面に接着する。さらに、図３で示す支脚部３の第１下辺４、折り曲げ線Ｌ２、Ｌ３，Ｌ４で囲まれた領域ＳＡ２をボード掲示部２の第１掲示部２Ａの裏面に接着する。なお、領域ＳＡ１，ＳＡ２を、第１掲示部接合部ＳＡ１，ＳＡ２と称する。
これにより、図３における支脚部３の接着領域Ｓ１，Ｓ２，Ｓ３の左側に、折り曲げ線Ｌ５を挟んで下側に第１支持板１３が形成され、上側に第２支持板１４が形成される。また、図４における支脚部３の接着領域Ｓ１，Ｓ２，Ｓ３の右側に、折り曲げ線Ｌ６を挟んで下側に第３支持板１５が形成され、上側に第４支持板１６が形成される。
【００１９】
そして、図４に示すように、支脚部３の第１支持板１３及び第２支持板１４を折り曲げ線Ｌ３、Ｌ７に沿って谷折りし、支脚部３の第３支持板１５及び第４支持板１６を折り曲げ線Ｌ４、Ｌ８に沿って谷折りすることで、第１支持板１３、第３支持板１５同士が対向し、第３支持板１４、第４支持板１６同士が対向した状態とする。そして、折り曲げ線Ｌ２に沿って谷折りした水平支持板１０の係合凹部１２を、第１支持板１３及び第３支持板１５の厚さ方向から挟み込んで係合させることで、水平支持板１０が第１支持板１３及び第３支持板１５が戻ろうとするのを拘束し、支脚部３が立体形状に組み立てられる。
【００２０】
ここで、支脚部３の上部側に形成されている折り曲げ線Ｌ７、Ｌ８が、スリット９から離間して支脚部３の上端に向うに従い互いの間隔が近くなるように内側に傾斜した状態で形成されているので、第２支持板１４及び第４支持板１６を谷折りすると、図５に示すように、第２掲示部接合部ＳＢが、第１掲示部接合部ＳＡ１，ＳＡ２が延在している方向の延長線Ｍ１に対して所定の角度αで前面側に傾斜するように移動する。
【００２１】
図１及び図５に示すように、第１下辺４及び脚７，８を床面に接した状態で支脚部３を立てると、支脚部３に接着されたボード掲示部２が折り曲げ線Ｌ１に沿って折り曲げられ、長尺方向に隣接する貼着面２ａ，２ｂが同一平面上に存在せず、貼着面２ａに対して貼着面２ｂが前面側に倒れた状態となる。
そして、同一平面上に存在しない２つの第１掲示部２Ａ、第２掲示部２Ｂの各々に、２種類のイベントボードＢＤ１、ＢＤ２が、同一平面上に存在せず、傾きが異なる方向とされて配置される。
【００２２】
したがって、第１実施形態の紙脚１によると、傾斜が異なる２つの第１掲示部２Ａ、第２掲示部２Ｂの各々に２種類のイベントボードＢＤ１、ＢＤ２を貼着することで、同一平面上に存在せず、傾きが異なる方向にイベントボードＢＤ１、ＢＤ２を並べて配置することができるので、案内用イベントボードでは、ボードに表示されている案内を目立たせることができるとともに、広告用イベントボードでは、ボードに記載されている商品内容で購買意欲を高めることができ、イベント効果を十分に高めることができる。
【００２３】
また、支脚部３の上部側に形成されている折り曲げ線Ｌ７、Ｌ８が、スリット９から離間して支脚部３の上端に向うに従い互いの間隔が近くなるように内側に傾斜した状態で形成されており、第２支持板１４及び第４支持板１６を谷折りするだけで、支脚部３の第１掲示部接合部ＳＡ１，ＳＡ２に対して、第２掲示部ＳＢが同一平面上に存在せず、傾斜角度が異なる方向に移動するので、紙脚１の組み立て作業を簡単に行うことができるとともに、簡便な構造の紙脚１とすることで、製造コストの低減化も図ることができる。
【００２４】
［第２実施形態の紙脚］
次に、図６から図８は、本考案に係る第２実施形態の紙脚１を示すものである。
第１実施形態と同一構成部分は、同一符号を付して説明は省略する。
第２実施形態の紙脚１が第１実施形態の紙脚１と異なる点は、支脚部３の上部側に、スリット９の一方の端部９ａから支脚部３の上端まで延在する直線状の折り曲げ線Ｌ９が形成されているとともに、スリット９の他方の端部９ｂから支脚部３の上端まで延在する直線状の折り曲げ線Ｌ１０が形成されている点である。
これら折り曲げ線Ｌ９、Ｌ１０は、スリット９から離間して支脚部３の上端に向うに従い互いの間隔が遠くなるように外側に傾斜した状態で形成されている。
【００２５】
第２実施形態の紙脚１も、支脚部３の第１支持板１３及び第２支持板１４を折り曲げ線Ｌ３、Ｌ９に沿って谷折りし、支脚部３の第３支持板１５及び第４支持板１６を折り曲げ線Ｌ４、Ｌ１０に沿って谷折りすることで、第１支持板１３、第３支持板１５同士が対向し、第３支持板１４、第４支持板１６同士が対向する。また、折り曲げ線Ｌ２に沿って谷折りした水平支持板１０の係合凹部１２を、第１支持板１３及び第３支持板１５の厚さ方向から挟み込んで係合させることで、水平支持板１０が第１支持板１３及び第３支持板１５の折り戻りを拘束し、支脚部３を立体形状として保持する。
【００２６】
ここで、第２実施形態では、支脚部３の上部側に形成されている折り曲げ線Ｌ９、Ｌ１０が、スリット９から離間して支脚部３の上端に向うに従い互いの間隔が遠くなるように外側に傾斜した状態で形成されている。このため、第２支持板１４及び第４支持板１６を谷折りすると、図７に示すように、第２掲示部接合部ＳＢが、第１掲示部接合部ＳＡ１，ＳＡ２が延在している方向の延長線Ｍ２に対して所定の角度βで背面側に傾斜するように移動する。
そして、第１下辺４及び脚７，８を床面に接した状態で支脚部３を立てると、図８に示すように、支脚部３に接着されたボード掲示部２が折り曲げ線Ｌ１に沿って折り曲げられ、長尺方向に隣接する貼着面２ａ，２ｂが同一平面上に存在せず、貼着面２ａに対して貼着面２ｂが背面側に倒れた状態となる。
【００２７】
このように同一平面上に存在しない２つの第１掲示部２Ａ、第２掲示部２Ｂの各々に、図７に示すように２種類のイベントボードＢＤ１、ＢＤ２を貼着することで、２種類のイベントボードＢＤ１、ＢＤ２を自立させる。
上記構成の第２実施形態の紙脚１も、傾斜が異なる２つの第１掲示部２Ａ、第２掲示部２Ｂの各々に２種類のイベントボードＢＤ１、ＢＤ２を貼着することで、同一平面上に存在せず、傾きが異なる方向にイベントボードＢＤ１、ＢＤ２を並べて配置することができるので、第１実施形態と同様に、案内用イベントボード、或いは広告用イベントボードとして使用するときは、イベント効果を高めることができる。
【００２８】
また、第２実施形態では、支脚部３の上部側に形成されている折り曲げ線Ｌ９、Ｌ１０が、スリット９から離間して支脚部３の上端に向うに従い互いの間隔が遠くなるように外側に傾斜した状態で形成されており、第２支持板１４及び第４支持板１６を谷折りするだけで、支脚部３の第１掲示部接合部ＳＡ１，ＳＡ２に対して、第２掲示部ＳＢが同一平面上に存在せず、傾きが異なる方向に移動するので、紙脚１の組み立て作業を簡単に行うことができるとともに、簡便な構造の紙脚１とすることで、製造コストの低減化も図ることができる。
【符号の説明】
【００２９】
１  紙脚
２  ボード掲示部
２ａ，２ｂ  貼着面
２Ａ  第１掲示部（下側掲示部）
２Ｂ  第２掲示部（上側掲示部）
３  支脚部
４  第１下辺
５  第２下辺
６  第３下辺
７、８  脚
９  スリット
９ａ  一方の端部
９ｂ  他方の端部
１０  水平支持板
１１  孔
１２  係合凹部
１３  第１支持板（下側支持板）
１４  第２支持板（上側支持板）
１５  第３支持板（下側支持板）
１６  第４支持板（上側支持板）
Ｋ  切込み線
Ｌ１  折り曲げ線（掲示部折り曲げ線）
Ｌ２  折り曲げ線
Ｌ３，Ｌ４  折り曲げ線（下側折り曲げ線）
Ｌ５，Ｌ６  折り曲げ線
Ｌ７，Ｌ８  折り曲げ線（上側折り曲げ線）
Ｌ９，Ｌ１０  折り曲げ線（上側折り曲げ線）
ＳＡ１，ＳＡ２  第１掲示部接合部（下側接合領域）
ＳＢ  第２掲示部接合領域（上側接合領域）
【図１】
0003224851.tif 000003
【図２】
0003224851.tif 000004
【図３】
0003224851.tif 000005
【図４】
0003224851.tif 000006
【図５】
0003224851.tif 000007
【図６】
0003224851.tif 000008
【図７】
0003224851.tif 000009
【図８】
0003224851.tif 000010